(57)【要約】【課題】金型１２，１４を掴んだ状態での作業者の鉛直方向の動作を極力減らして、作業者の身体的負担を軽減すると共に、金型１２，１４の交換の作業時間を短縮化すること。【解決手段】収納棚４４の内側には、パンチ１２を保持する一対のパンチ保持部材７２がブラケット５８、支持ブロック６２、回転軸６６、及一対の揺動リンク６８を介して幅方向に離隔して設けられている。各パンチ保持部材７２は、対応する回転軸６６に一体的に連結されており、対応する回転軸６６の軸心周りに揺動可能に構成されている。金型収納ラック１０は、収納棚４４の引き出し動作に連動して各パンチ保持部材７２を鉛直方向に対して収納棚４４の引き出し側へ傾くように揺動させるカム機構７６を具備している。【選択図】  図１
2018089663.tif 000002
【特許請求の範囲】
【請求項１】
板金の曲げ加工に用いられる複数の金型を収納する金型収納ラックであって、
一方側に開口部を有した箱型のラック本体と、
前記ラック本体の内側に設けられ、前記開口部から引き出し可能に構成された収納棚と、
前記収納棚に設けられ、複数の前記金型を保持する金型保持部材と、
前記金型保持部材を鉛直方向に対して引き出し側へ傾くように揺動させる揺動手段と、を具備したことを特徴とする金型収納ラック。
【請求項２】
前記揺動手段は、前記収納棚の引き出し動作に連動して前記金型保持部材を引き出し側へ傾くように揺動させるカム機構であることを特徴とする請求項１に記載の金型収納ラック。
【請求項３】
前記カム機構は、
前記ラック本体の内側面に前記収納棚の引き出し方向に沿って設けられたガイド部と、
前記金型保持部材に設けられ、前記ガイド部に移動可能に係合するカムフォロアと、を有し、
前記ガイド部は、前記収納棚の引き出し動作に連動して前記金型保持部材を引き出し側へ傾くように揺動させるように構成されていることを特徴とする請求項２に記載の金型収納ラック。
【請求項４】
前記収納棚の内側に回転可能に設けられた回転軸を具備し、
前記金型保持部材は、前記回転軸に連結されかつ前記回転軸の軸心周りに揺動可能に構成され、
前記揺動手段は、前記回転軸に連結されかつ前記回転軸を回転させるための操作レバーであることを特徴とする請求項１に記載の金型収納ラック。
【請求項５】
前記ラック本体は、
奥行方向の一方側に第１開口部を有した箱型の第１ラック本体と、
前記第１ラック本体の内側に設けられ、前記第１開口部から奥行方向の一方側へ引き出し可能に構成され、幅方向の一方側に第２開口部を有した箱型の第２ラック本体とを有し、
前記収納棚は、前記第２ラック本体の内側に設けられかつ前記第２開口部から幅方向の一方側へ引き出し可能に構成されている請求項１から請求項４のうちのいずれか１項に記載の金型収納ラック。
【請求項６】
前記ラック本体は、床面上を転動する複数の車輪を有していることを特徴とする請求項１から請求項４のうちのいずれか１項に記載の金型収納ラック。
【請求項７】
前記ラック本体は、曲げ加工機におけるベースフレームに一体化されていることを特徴とする請求項１から請求項４のうちのいずれか１項に記載の金型収納ラック。
【発明の詳細な説明】
【技術分野】
【０００１】
本発明は、板金の曲げ加工に用いられる複数の金型（パンチ及びダイ）を収納する金型収納ラックに関する。
【背景技術】
【０００２】
プレスブレーキ等の曲げ加工機の側方（側部）に金型収納ラックを設置して、曲げ加工機と金型収納装置との間において金型（パンチ及びダイ）の交換を手動的に行うことがある。そして、従来の一般的な金型収納ラックの構成について簡単に説明すると、次の通りである。
【０００３】
一般的な金型収納ラックは、箱型のラック本体を具備しており、ラック本体は、奥行方向（金型収納ラックの奥行方向）の一方側（正面側）に、矩形の開口部を有している。また、ラック本体は、その内側に、複数の収納棚（引出）を上下方向に沿って段状に備えており、各収納棚は、ラック本体の開口部から奥行方向の一方側へ引き出し可能に構成されている。更に、各収納棚は、その上側に、複数の金型を保持する金型保持部（金型保持部材）を備えている（特許文献１等参照）。
【０００４】
なお、本発明に関連する先行技術として特許文献１に示すもの他に、特許文献２から特許文献５に示すものがある。
【先行技術文献】
【特許文献】
【０００５】
【特許文献１】特開平１０−７１４９９号公報
【特許文献２】特開平７−１８５６６５号公報
【特許文献３】特開２００９−１１３０８２号公報
【特許文献４】特開２００３−１３６１４３号公報
【特許文献５】特開２００４−１７４５９０号公報
【発明の概要】
【発明が解決しようとする課題】
【０００６】
ところで、曲げ加工機と金型収納ラックとの間において金型の交換を行う際には、使用予定の金型を鉛直上方向（真上）へ持ち上げて金型保持部から取り出し、又使用済みの金型を鉛直下方向（真下）へ降下させて金型保持部に保持（挿入）させることが必要になる。そのため、重量物である金型を掴んだ状態での作業者（作業者の腕）の鉛直方向の動作が増えて、作業者の身体的負担が大きくなると共に、金型の交換の作業時間が長くなるという問題がある。
【０００７】
そこで、本発明は、前述の問題を解決することができる、新規な構成からなる金型収納ラックを提供することを目的とする。
【課題を解決するための手段】
【０００８】
本発明の態様は、板金の曲げ加工に用いられる複数の金型（パンチ及びダイ）を収納する金型収納ラックであって、一方側に開口部を有した箱型のラック本体と、前記ラック本体（の内側）に設けられ、前記開口部から引き出し可能に構成された収納棚（引出）と、前記収納棚の内側に設けられ、複数の前記金型を保持する金型保持部材（金型保持部）と、前記金型保持部材を鉛直方向に対して引き出し側へ傾くように揺動（回動）させる揺動手段（回動手段）と、を具備したことである。
【０００９】
本発明の態様によると、曲げ加工機と前記金型収納ラックとの間において金型の交換を行う際には、前記収納棚を前記開口部から引き出す。また、前記揺動手段によって前記金型保持部材を鉛直方向に対して引き出し側へ傾くように揺動させる。これにより、使用予定の金型を鉛直方向に対して斜め方向へ持ち上げて前記金型保持部材から取り出し、又使用済みの金型を鉛直方向に対して斜め方向へ降下させて前記金型保持部材に保持（挿入）させることができる。
【発明の効果】
【００１０】
本発明によれば、前記曲げ加工機と前記金型収納ラックとの間で金型の交換を行う際に、重量物である金型を掴んだ状態での作業者（作業者の腕）の鉛直方向の動作を極力減らして、作業者の身体的負担を軽減すると共に、金型の交換の作業時間を短縮化することができる。
【図面の簡単な説明】
【００１１】
【図１】図１は、本発明の実施形態に係る金型収納ラックをプレスブレーキの右側に設置した様子を示す正面図である。
【図２】図２は、本発明の実施形態に係る金型収納ラックの左側面図であり、第２ラック本体を奥行方向の一方側（前方向）へ引き出した後の様子を示している。
【図３】図３は、本発明の実施形態に係る金型収納ラックの右側面図であり、第２ラック本体を奥行方向の一方側へ引き出した後の様子を示している。
【図４】図４は、第２ラック本体と収納棚との関係を示す斜視図である。
【図５】図５は、収納棚に対するブラケット及びパンチ保持部材等の取付状態を示す分解斜視図である。
【図６】図６（ａ）は、支持ブロックに対する回転軸及びパンチ保持部材等の取付状態を示す斜視図、図６（ｂ）は、図６（ａ）を下方向から見た斜視図である。
【図７】図７（ａ）（ｂ）は、パンチ保持部材とカム機構との関係及び本発明の実施形態の作用を説明する図である。図７（ａ）は、収納棚を幅方向の一方側（左方向）へ引き出す前の様子を示しており、図７（ｂ）は、収納棚を幅方向の一方側へ引き出した後の様子を示している。なお、図７（ａ）（ｂ）においては、パンチの図示を省略している。
【図８】図８（ａ）（ｂ）は、パンチの収納状態（パンチ保持部材の保持状態）及び本発明の実施形態の作用を説明する図である。図８（ａ）は、収納棚を幅方向の一方側へ引き出す前の様子を示す図、図８（ｂ）は、収納棚を幅方向の一方側へ引き出す前の様子を示す断面図である。
【図９】図９（ａ）（ｂ）は、パンチの収納状態（パンチ保持部材の保持状態）及び本発明の実施形態の作用を説明する図である。図９（ａ）は、収納棚を幅方向の一方側へ引き出した後の様子を示す図、図９（ｂ）は、収納棚を幅方向の一方側へ引き出した後の様子を示す断面図である。
【図１０】図１０（ａ）（ｂ）は、本発明の実施形態の作用を説明する図である。図１０（ａ）は、収納棚を奥行方向の一方側へ引き出す前における金型収納ラックの周辺の斜視図であり、図１０（ｂ）は、収納棚を奥行方向の一方側へ引き出す前における金型収納ラックの平面図である。
【図１１】図１１（ａ）（ｂ）は、本発明の実施形態の作用を説明する図である。図１１（ａ）は、収納棚を奥行方向の一方側へ引き出した後における金型収納ラックの周辺の斜視図であり、図１１（ｂ）は、収納棚を奥行方向の一方側へ引き出した後における金型収納ラックの平面図である。
【図１２】図１２（ａ）（ｂ）は、本発明の実施形態の作用を説明する図である。図１２（ａ）は、収納棚を幅方向の一方側へ引き出した後における金型収納ラックの周辺の斜視図であり、図１２（ｂ）は、収納棚を幅方向の一方側へ引き出した後における金型収納ラックの平面図である。
【図１３】図１３は、本発明の実施形態の変形例１を説明する図であり、第１ラック本体がプレスブレーキにおけるベースフレームに一体化している様子を示す正面図である。
【図１４】図１４（ａ）（ｂ）は、本発明の実施形態の変形例２を説明する図である。図１４（ａ）は、操作レバーを揺動させる前におけるパンチ及び収納棚等の様子を示す図であり、図１４（ｂ）は、操作レバーを揺動させた後におけるパンチ及び収納棚等の様子を示す図である。
【発明を実施するための形態】
【００１２】
本発明の実施形態について図１から図１２（ａ）（ｂ）を参照して説明する。
【００１３】
なお、本願の明細書及び特許請求の範囲において、「設けられる」とは、直接的に設けられることの他に、別部材を介して間接的に設けられることを含む意であって、「備えられる」と同義である。「備える」とは、直接的に備えることの他に、別部材を介して間接的に備えることを含む意であって、「設ける」と同義である。また、「奥行方向」とは、特に断らない限り、金型収納ラックの奥行方向のことをいい、本発明の実施形態においては、前後方向のことである。「幅方向」とは、特に断らない限り、金型収納ラックの幅方向のことをいい、本発明の実施形態にあっては、左右方向のことである。図面中、「ＦＦ」は、前方向、「ＦＲ」は、後方向、「Ｌ」は、左方向、「Ｒ」は、右方向、「Ｕ」は、上方向、「Ｄ」は、下方向をそれぞれ指している。
【００１４】
図１から図３に示すように、本発明の実施形態に係る金型収納ラック１０は、板金（図示省略）の曲げ加工に用いられる複数の金型としての複数のパンチ１２及び複数のダイ１４を収納する装置である。ここで、本発明の実施形態においては、複数のパンチ１２は、金型長さ（パンチ長さ）の異なる同一形状からなる複数の分割パンチ、及び金型長さの異なる他の同一形状からなる複数の他の分割パンチである。同様に、複数のダイ１４は、金型長さ（ダイ長さ）の異なる同一形状からなる複数の分割ダイ、及び金型長さの異なる他の同一形状からなる複数の他の分割ダイである。
【００１５】
金型収納ラック１０は、板金の曲げ加工を行う曲げ加工機の一例としてのプレスブレーキ１６の右側に設置されている。ここで、プレスブレーキ１６は、ベースフレーム１８を具備しており、ベースフレーム１８は、左右方向に離隔した一対（１つのみ図示）のサイドプレート２０と、一対のサイドプレート２０の下部の間に亘って設けられたテーブル（下部テーブル）２２を有している。プレスブレーキ１６は、一対のサイドプレート２０の上部の間に亘って昇降可能（上下方向へ移動可能）に設けられたラム（上部テーブル）２４を具備している。パンチ１２は、ラム２４の下側にパンチホルダ（図示省略）を介して装着されるようになっている。ダイ１４は、テーブル２２の上側にダイホルダ（図示省略）を介して装着されるようになっている。
【００１６】
金型収納ラック１０は、箱型の第１ラック本体２６を具備しており、第１ラック本体２６は、奥行方向の一方側（前側）に、矩形の第１開口部２６ａを有している。また、第１ラック本体２６は、その下側に、床面２８上を転動する複数の車輪３０を有している。
【００１７】
第１ラック本体２６は、その内側に、箱型の第２ラック本体３２を備えている。また、第２ラック本体３２は、４つのスライドレール機構３４によって第１ラック本体２６の第１開口部２６ａから奥行方向の一方側（前方向）へ引き出し可能に構成されている。各スライドレール機構３４は、例えば、国際公開２０１２／００２０４１号公報等に示す公知の構成からなり、第２ラック本体３２の外側面に設けられた固定レール３６と、第１ラック本体２６の内側面に奥行方向（前後方向）へ移動可能に設けられかつ固定レール３６を奥行方向へ移動可能に案内する可動レール３８とからなる。各スライドレール機構３４は、第２ラック本体３２を奥行方向へ案内する機能の他に、第１ラック本体２６からの第２ラック本体３２の離脱を防止する機能を有している。
【００１８】
第２ラック本体３２は、その内側の中間部に、第２ラック本体３２の内部空間を上下に仕切る水平の仕切板４０を有している。また、第２ラック本体３２は、幅方向の一方側（左側）に、２つの矩形の第２開口部３２ａ，３２ｂを上下に有しており、一方の第２開口部３２ａは、仕切板４０の上側に位置し、他方の第２開口部３２ｂは、仕切板４０の下側に位置している。
【００１９】
第２ラック本体３２は、その正面側（前面側）の上部に、第２ラック本体３２を引き出し不能にロックするためのラッチ錠４２を備えている。ラッチ錠４２は、例えば、特開平８−２９１６５８号公報等に示す公知の構成からなり、その揺動操作によって第２ラック本体３２のロック状態を解除するように構成されている。
【００２０】
図２及び図４に示すように、第２ラック本体３２は、その内側の上部に、複数のパンチ１２を収納するための箱型の収納棚（引出）４４を備えている。また、収納棚４４は、一対のスライドレール機構４６によって第２ラック本体３２の第２開口部３２ａから幅方向の一方側（左方向）へ引き出し可能に構成されている。各スライドレール機構４６は、スライドレール機構３４と同様に公知の構成からなり、収納棚４４の内側面に設けられた固定レール４８と、収納棚４４の下面に設けられかつ固定レール４８に幅方向（左右方向）へ移動可能に案内される可動レール５０とからなる。各スライドレール機構４６は、収納棚４４を幅方向へ案内する機能の他に、収納棚４４に働く重量を支える機能、及び第２ラック本体３２からの収納棚４４の離脱を防止する機能を有している。なお、図４において、スライドレール機構３４の図示を省略している。
収納棚４４は、その側面側の中央部に、収納棚４４を引き出し不能にロックするためのラッチ錠５２を備えている。ラッチ錠５２は、ラッチ錠４２と同様に公知の構成からなり、その揺動操作によって収納棚４４のロック状態を解除するように構成されている。
【００２１】
第２ラック本体３２は、その内側の下部に、複数のダイ１４を収納するための箱型の収納棚（引出）５４を備えている。また、収納棚４４と同様に、収納棚５４は、一対のスライドレール機構（図示省略）によって第２ラック本体３２の第２開口部３２ｂから幅方向の一方側（左方向）へ引き出し可能に構成されている。収納棚５４は、その側面側の中央部に、収納棚５４を引き出し不能にロックするためのラッチ錠５６を備えている。ラッチ錠５６は、ラッチ錠４２，５２と同様に公知の構成からなり、その揺動操作によって収納棚５４のロック状態を解除するように構成されている。
【００２２】
続いて、複数のパンチ１２を保持するための収納棚４４の内部構成等、及び複数のダイ１４を保持するための収納棚５４の内部構成等について説明する。
【００２３】
図５から図７（ａ）（ｂ）、及び図８（ｂ）に示すように、収納棚４４は、その内側に、幅方向（左右方向）に離隔した一対のブラケット５８を複数の取付ボルト６０によって一体的に備えており、各ブラケット５８は、奥行方向（前後方向）に延びている。また、各ブラケット５８は、その中央部に、支持ブロック６２を複数の取付ボルト６４によって一体的に備えており、各支持ブロック６２は、その適宜位置に、奥行方向に平行に延びた回転軸（回動軸）６６をその水平な軸心周りに回転可能（回動可能）に備えている。換言すれば、収納棚４４の内側には、一対の回転軸６６がブラケット５８及び支持ブロック６２を介して水平な軸心周りに回転可能かつ幅方向に離隔して設けられている。更に、各回転軸６６の両端部には、揺動リンク６８の上端部（基部）が一体的に連結されている。幅方向に隣接する各一対の揺動リンク６８のうち、一方の揺動リンク６８には、連結リンク７０の一端部が回転自在（回動自在）に連結されており、他方の揺動リンク６８には、連結リンク７０の他端部が回転自在に連結されている。
【００２４】
奥行方向に隣接する各一対の揺動リンク６８は、それらの上面の間に亘って、複数のパンチ１２の基端部を保持する金型保持部材としてのパンチ保持部材７２を一体的に備えている。換言すれば、収納棚４４の内側には、一対のパンチ保持部材７２がブラケット５８、支持ブロック６２、一対の回転軸６６、及一対の揺動リンク６８を介して幅方向に離隔して設けられている。各パンチ保持部材７２は、対応する回転軸６６に一体的に連結されており、対応する回転軸６６の軸心周りに揺動可能に構成されている。また、各パンチ保持部材７２は、断面Ｕ字状の２枚の保持板７４からなり、奥行方向に平行に延びている。なお、各パンチ保持部材７２が幅方向へ延びていれば奥行方向に平行でなくてもよい。パンチ保持部材７２によるパンチ１２の保持状態を安定させるため、保持板７４とパンチ１２の基端部との間には、弾性体からなるスペーサを介在させることが望ましい。
【００２５】
金型収納ラック１０は、収納棚４４の引き出し動作に連動して各パンチ保持部材７２を鉛直方向に対して収納棚４４の引き出し側（左方向）へ傾くように揺動させる揺動手段としてのカム機構７６を具備している。そして、カム機構７６の具体的な構成は、次の通りである。
【００２６】
図４、図７（ａ）（ｂ）から図９（ａ）（ｂ）に示すように、第２ラック本体３２は、その奥行方向の各内側面に、取付プレート７８を一体的に備えており、各取付プレート７８には、ガイド部としてのカム溝８０が幅方向（収納棚４４の引き出し方向）に沿って設けられている。換言すれば、第２ラック本体３２の奥行方向の両方の内側面には、カム溝８０が取付プレート７８を介してそれぞれ設けられている。
【００２７】
一方のパンチ保持部材７２は、その両端部に、幅方向の他方側（右方向）へ突出した支持アーム８２を一体的にそれぞれ備えている。また、各支持アーム８２は、その先端部に、対応するカム溝８０に移動可能に係合するカムフォロア８４をその水平な軸心周りに回転可能に備えている。換言すれば、一方のパンチ保持部材７２の両端部には、カムフォロア８４が支持アーム８２を介して水平な軸心（カムフォロア８４の軸心）周り回転可能にそれぞれ設けられている。
【００２８】
そして、図７（ａ）（ｂ）に示すように、各カム溝８０は、収納棚４４を引き出すと、各パンチ保持部材７２が収納棚４４の引き出し側へ傾くように揺動させるように構成されている。具体的には、各カム溝８０は、幅方向の他方側（右側）に位置する水平な第１水平部８０ａと、幅方向の一方側（左側）に位置する水平な第２水平部８０ｂと、第１水平部８０ａと第２水平部８０ｂを繋ぎかつ水平方向に対して傾斜した傾斜部８０ｃとからなっている。第２水平部８０ｂは、各パンチ保持部材７２の傾き角に応じた分だけ第１水平部８０ａよりも高い位置に設定されている。
【００２９】
ここで、各パンチ保持部材７２の傾き角は、２０〜４０度に設定されている。各パンチ保持部材７２の傾き角を２０度以上に設定したのは、２０度未満であると、パンチ１２をパンチ保持部材７２から取り出す際に、作業者の身体的負担が大きくなるからである。各パンチ保持部材７２の傾き角を４０度以下に設定したのは、４０度を越えると、各パンチ保持部材７２が収納棚４４の引き出し側へ傾いた際に、パンチ１２がパンチ保持部材７２から離脱するおそれがあるからである。
【００３０】
図２及び図４に示すように、複数のダイ１４を保持するための収納棚５４の内部構成は、複数のパンチ１２を保持するための収納棚４４の内部構成と同様である。具体的には、収納棚５４の内側には、一対の他の回転軸（図示省略）が水平な軸心周りに回転可能に設けられている。収納棚５４の内側には、複数のダイ１４の基端部を保持する一対の金型保持部材としての一対のダイ保持部材（図示省略）が幅方向に離隔して設けられている。各ダイ保持部材は、対応する他の回転軸に一体的に連結されており、対応する他の回転軸の軸心周りに揺動可能に構成されている。
【００３１】
金型収納ラック１０は、収納棚５４の引き出し動作に連動して各ダイ保持部材を鉛直方向に対して収納棚５４の引き出し側へ傾くように揺動させる他の揺動手段としての他のカム機構（図示省略）を具備している。他のカム機構の構成は、カム機構７６の構成と同様である。
【００３２】
続いて、本発明の実施形態の作用及び効果について説明する。
【００３３】
図１０（ａ）（ｂ）及び図１１（ａ）（ｂ）に示すように、プレスブレーキ１６と金型収納ラック１０との間で金型（パンチ１２及びダイ１４）の交換を行う際には、まず、ラッチ錠４２の揺動操作によって第２ラック本体３２のロック状態を解除する。そして、第２ラック本体３２を第１ラック本体２６の第１開口部２６ａから奥行方向の一方側（前方向）へ引き出す。
【００３４】
第２ラック本体３２を奥行方向の一方側へ引き出した後に、図１１（ａ）（ｂ）及び図１２（ａ）（ｂ）に示すように、ラッチ錠５２の揺動操作によって収納棚４４のロック状態を解除する。そして、収納棚４４を第２ラック本体３２の第２開口部３２ａから幅方向の一方側（左方向）へ引き出す。これにより、第１ラック本体２６をプレスブレーキ１６の側方（右側）に設置した状態で、パンチ保持部材７２をプレスブレーキ１６の正面側に位置させることができる。
【００３５】
また、同時に、図８（ａ）（ｂ）及び図９（ａ）（ｂ）に示すように、カム機構７６によって収納棚４４の引き出し動作に連動して各パンチ保持部材７２を鉛直方向に対して収納棚４４の引き出し側（左方向）へ傾くように揺動させる。これにより、使用予定のパンチ１２を鉛直方向に対して斜め方向へ持ち上げてパンチ保持部材７２から取り出すことができる。使用済みのパンチ１２を鉛直方向に対して斜め方向へ降下させて、パンチ１２の基端部をパンチ保持部材７２に保持させることができる。
【００３６】
同様に、図１１（ａ）（ｂ）及び図１２（ａ）（ｂ）に示すように、ラッチ錠５６の揺動操作によって収納棚５４のロック状態を解除する。そして、収納棚５４を第２ラック本体３２の第２開口部３２ｂから幅方向の一方側へ引き出す。これにより、第１ラック本体２６をプレスブレーキ１６の側方（右側）に設置した状態で、ダイ保持部材をプレスブレーキ１６の正面側に位置させることができる。
【００３７】
また、同時に、他のカム機構によって収納棚５４の引き出し動作に連動して各ダイ保持部材を鉛直方向に対して収納棚５４の引き出し側へ傾くように揺動させる。これにより、使用予定のダイ１４を鉛直方向に対して斜め方向へ持ち上げてダイ保持部材から取り出すことができる。使用済みのダイ１４を鉛直方向に対して斜め方向へ降下させて、ダイ１４の基端部をダイ保持部材に保持させることができる。
【００３８】
以上の如き、本発明の実施形態によれば、前述のように、 プレスブレーキ１６と金型収納ラック１０との間で金型（パンチ１２及びダイ１４）の交換を行う際に、使用予定のパンチ１２等を鉛直方向に対して斜め方向へ持ち上げてパンチ保持部材７２等から取り出すことができる。使用済みのパンチ１２等を鉛直方向に対して斜め方向へ降下させて、パンチ１２等の基端部をパンチ保持部材７２等に保持させることができる。よって、本発明の実施形態によれば、重量物である金型１２，１４を掴んだ状態での作業者（作業者の腕）の鉛直方向の動作を極力減らして、作業者の身体的負担を軽減すると共に、金型１２，１４の交換の作業時間を短縮化することができる。
【００３９】
特に、パンチ保持部材７２等をプレスブレーキ１６の正面側に位置させることができるため、本発明の実施形態によれば、交換時における金型１２，１４の移送距離を短縮して、作業者の身体的負担をより軽減することができる（本発明の実施形態の第１の効果）。
【００４０】
また、前述のように、第１ラック本体２６が複数の車輪３０を有しているため、金型収納ラック１０を他のプレスブレーキ（図示省略）の側方にまで移動させることができる。そのため、本発明の実施形態によれば、他のプレスブレーキと金型収納ラック１０との間で金型１２，１４の交換を行うこともでき、金型収納ラック１０の汎用性を高めることができる（本発明の実施形態の第２の効果）。
【００４１】
（変形例１）
本発明の実施形態の変形例１について図１３を参照して説明する。
【００４２】
図１３に示すように、本発明の実施形態の変形例１においては、第１ラック本体２６の構成から複数の車輪３０（図１参照）を省略している。そして、第１ラック本体２６は、プレスブレーキ１６におけるベースフレーム１８に一体化されている。
【００４３】
そして、本発明の実施形態の変形例１によれば、本発明の実施形態と同様の作用及び効果（本発明の実施形態の第２の効果を除く）を奏する他に、金型収納ラック１０の転倒を確実に防止して、金型収納ラック１０の安全性を高めることができる。
【００４４】
（変形例２）
本発明の実施形態の変形例２について図１４（ａ）（ｂ）を参照して説明する。
【００４５】
図１４（ａ）（ｂ）に示すように、本発明の実施形態の変形例２においては、金型収納ラック１０の構成からカム機構７６（図９（ａ）（ｂ）参照）及び他のカム機構を省略している。そして、適宜の回転軸６６は、奥行方向の一方側（前方向）へ延長しており、適宜の回転軸６６の端部は、収納棚４４の外側面に対して奥行方向の一方側へ突出している。また、適宜の回転軸６６の端部には、揺動操作によって適宜の回転軸６６を回転させるための操作レバー８６の基端部が一体的に連結されている。操作レバー８６は、一対のパンチ保持部材７２を鉛直方向に対して収納棚４４の引き出し側へ傾くように揺動させる揺動手段に相当する。
【００４６】
同様に、適宜の他の回転軸（図示省略）は、奥行方向の一方側へ延長しており、適宜の他の回転軸の端部は、収納棚５４（図４参照）の外側面に対して奥行方向の一方側へ突出している。また、適宜の他の回転軸の端部には、揺動操作によって適宜の他の回転軸を回転させるための他の操作レバー（図示省略）の基端部が一体的に連結されている。他の操作レバーは、一対のダイ保持部材（図示省略）を鉛直方向に対して収納棚５４の引き出し側へ傾くように揺動させる他の揺動手段に相当する。
【００４７】
従って、収納棚４４を第２ラック本体３２の第２開口部３２ａ（図４参照）から幅方向の一方側（左方向）へ引き出した後に、操作レバー８６の揺動操作によって適宜の回転軸６６を回転させて、各パンチ保持部材７２を鉛直方向に対して収納棚４４の引き出し側（左方向）へ傾くように揺動させる。同様に、他の操作レバーの揺動操作によって適宜の他の回転軸を回転させて、各ダイ保持部材を鉛直方向に対して収納棚５４の引き出し側（左方向）へ傾くように揺動させる。
【００４８】
そして、本発明の実施形態の変形例２においても、本発明の実施形態と同様の作用及び効果を奏するものである。
【００４９】
なお、本発明は、前述の実施形態の説明に限られるものではなく、適宜の変更を行うことにより、その他、種々の態様で実施可能である。そして、本発明に包含される権利範囲は、前述の実施形態に限定されないものである。
【符号の説明】
【００５０】
１０    金型収納ラック
１２    パンチ（金型）
１４    ダイ（金型）
１６    プレスブレーキ（曲げ加工機）
１８    ベースフレーム
２０    サイドプレート
２２    テーブル（下部テーブル）
２４    ラム（上部テーブル）
２６    第１ラック本体
２６ａ  第１開口部
２８    床面
３０    車輪
３２    第２ラック本体
３２ａ  第２開口部
３２ｂ  第２開口部
３４    スライドレール機構
４２    ラッチ錠
４４    収納棚
４６    スライドレール機構
５２    ラッチ錠
５４    収納棚
５６    ラッチ錠
５８    ブラケット
６２    支持ブロック
６６    回転軸
６８    揺動リンク
７０    連結リンク
７２    パンチ保持部材（金型保持部材）
７４    保持板
７６    カム機構
７８    取付プレート
８０    カム溝
８０ａ  第１水平部
８０ｂ  第２水平部
８０ｃ  傾斜部
８２    支持アーム
８４    カムフォロア
８６    操作レバー
【図１】
2018089663.tif 000003
【図２】
2018089663.tif 000004
【図３】
2018089663.tif 000005
【図４】
2018089663.tif 000006
【図５】
2018089663.tif 000007
【図６】
2018089663.tif 000008
【図７】
2018089663.tif 000009
【図８】
2018089663.tif 000010
【図９】
2018089663.tif 000011
【図１０】
2018089663.tif 000012
【図１１】
2018089663.tif 000013
【図１２】
2018089663.tif 000014
【図１３】
2018089663.tif 000015
【図１４】
2018089663.tif 000016